(57)【特許請求の範囲】
【請求項１】
映像入力信号に基づく画像のアスペクト比に応じて前記映像入力信号の画像を表示画面全体に表示するテレビジョン受像機において、
前記映像入力信号を取り込み、前記表示画面の上部、中部及び下部における所定領域での無画部の有無により前記映像入力信号に基づく画像のアスペクト比を検出する映像信号検出手段と、
一定時間間隔毎に前記映像信号検出手段により検出された画像のアスペクト比に対応する画面モードと現在表示されている画面モードとを比較し、同一と判定される場合には現在表示されている画面モードを保存し、前記現在表示されている画面モードと異なる画面モードを得た場合には、当該異なる画面モードが複数回連続して得られるか確認し、複数回連続して得た画面モードに前記映像入力信号の画像のサイズを水平方向又は垂直方向に可変制御する制御手段とを有することを特徴とするテレビジョン受像機。
【請求項２】
前記制御手段は、前記映像信号検出手段により検出された画像のアスペクト比に対応する画面モードと現在表示されている画面モードとを比較し、同一と判定される場合には現在表示されている画面モードを保存し、前記現在表示されている画面モードと異なる画面モードを一回得た場合には、当該一回得た画面モードに前記映像入力信号の画像のサイズを水平方向又は垂直方向に可変制御するように切換可能とすることを特徴とする請求項１記載のテレビジョン受像機。
【発明の詳細な説明】
【０００１】
【産業上の利用分野】
本発明は、テレビジョン受像機に係わり特に、表示画面のアスペクト比が１６：９に形成されているものに適用して好適なテレビジョン受像機に関する。
像機に関する。
【０００２】
【従来の技術】
周知のように、現行のテレビジョン標準方式（ＮＴＳＣ方式など）では、アスペクト比（受像管（ＣＲＴなど）の画面の横対縦の比）が４：３に規格化されている。
ところで、近年、実用化されてきた走査線数が１１２５本と現行のテレビジョンのほぼ２倍である高品位テレビジョン（ハイビジョン・テレビジョン）では、アスペクト比が１６：９に規格化されているので、現行のＮＴＳＣ方式のテレビジョンよりも横長の画面となっている。
また、近年、ハイビジョン・テレビと同じアスペクト比（１６：９）の横長の画面で走査線数が現行のＮＴＳＣ方式と同じ５２５本である、いわゆるワイドテレビジョン受像機が登場してきた。このワイドテレビジョン受像機は、ＭＵＳＥ−ＮＴＳＣコンバータを介することによりハイビジョン放送を現行のＮＴＳＣ方式とほぼ同じ画像品質で表示することができる。
【０００３】
ところで、近年、いわゆるビスタサイズ（アスペクト比の値が１．８５）やシネスコサイズ（アスペクト比の値が２．３５）のような横長の映画素材を、トリミングせずにレター・ボックス形式でアスペクト比が４：３の画面に納めた横長の画像のソフトウェアが増加している。
前記したような横長の画像のソフトの場合、ＮＴＳＣ方式の一般的な画像に対して、表示画面の上下に画像情報のない期間が挿入されたものが多く、これをアスペクト比４：３の受像管のテレビ受像機で表示したときには、アスペクト比４：３の受像管の水平方向いっぱいに横長の画像が表示されるとともに、画像情報のない期間に対応して、この受像管（アスペクト比４：３）の上下に無画部（黒帯部）が形成される。
【０００４】
また、前記したビスタサイズやシネスコサイズのソフトをワイドテレビにそのままの状態で表示すると、ワイドテレビの画面の上下に無画部（黒帯部）が形成される画像となってしまい、表示される画像が潰れたようなものとなってしまう。
そこで、最近のワイドテレビでは、入力映像信号に対応する画像が、ビスタサイズやシネスコサイズの画像ソフト、あるいは通常のアスペクト比が４：３の画面サイズであるかを画面の無画部（黒帯部）等の有無を検出して、最適な画面モードを自動的に選択してワイドテレビの画面全体に表示する、いわゆる「オートワイド」機能を備えているものがある。
【０００５】
即ち、図５（ａ）に示すように、ワイドテレビに、ビスタサイズのソフトに対応する入力映像信号が入力された場合、元の画像をそのまま拡大するようにして画面全体に表示される。この時の画面モードを「ズームモード」と呼ぶ。      また、図５（ｂ）に示すように、画面下部に字幕スーパーが挿入されているシネスコサイズのソフトに対応する入力映像信号が入力された場合、元の画像をそのまま拡大すると共に、下部の字幕スーパ部分を垂直方向に圧縮して画面全体に表示される。この時の画面モードを「字幕モード」と呼ぶ。
また、図５（ｃ）に示すように、通常のアスペクト比が４：３の画面に対応する入力映像信号が入力された場合、元の画像の中央部をやや拡大して左右両端側を水平方向に拡大して画面全体に表示される。この時の画面モードを「ワイドズームモード」と呼ぶ。
【０００６】
【発明が解決しようとする課題】
ところで、前記したオートワイド機能を備えたワイドテレビでは、一般に画面の無画部（黒帯部）の有無を検出して最適な画面モードを自動的に選択する構造になっているが、従来は、画面の無画部（黒帯部）の有無の検出を１回だけ実行し、その結果に基づいて画面モードを切り替えていたので、例えば、入力映像信号に対応する画像が夜の風景、あるいはたまたま画像の上下が黒っぽい場合には画面の上下が無画部と間違えて誤動作し、別の画像サイズの入力映像信号に切り替わったと判断する場合がある。
このため、実際は入力映像信号の画像サイズに変化がない場合でも勝手に画面モードが切り替わるので、画像を見ているユーザにとっては不愉快であった。
本発明は上記した課題を解決する目的でなされ、画面モードが誤った判断で勝手に切り替わることなく、入力映像信号に対応する画面サイズが切り替わった場合だけ確実に最適な画面モードに切り替わるテレビジョン受像機を提供しようとするものである。
【０００７】
【課題を解決するための手段】
前記した課題を解決するために本発明は、映像入力信号に基づく画像のアスペクト比に応じて前記映像入力信号の画像を表示画面全体に表示するテレビジョン受像機において、前記映像入力信号を取り込み、前記表示画面の上部、中部及び下部における所定領域での無画部の有無により前記映像入力信号に基づく画像のアスペクト比を検出する映像信号検出手段と、一定時間間隔毎に前記映像信号検出手段により検出された画像のアスペクト比に対応する画面モードと現在表示されている画面モードとを比較し、同一と判定される場合には現在表示されている画面モードを保存し、前記現在表示されている画面モードと異なる画面モードを得た場合には、当該異なる画面モードが複数回連続して得られるか確認し、複数回連続して得た画面モードに前記映像入力信号の画像のサイズを水平方向又は垂直方向に可変制御する制御手段とを有することを特徴とする。
また、前記制御手段は、前記映像信号検出手段により検出された画像のアスペクト比に対応する画面モードと現在表示されている画面モードとを比較し、同一と判定される場合には現在表示されている画面モードを保存し、前記現在表示されている画面モードと異なる画面モードを一回得た場合には、当該一回得た画面モードに前記映像入力信号の画像のサイズを水平方向又は垂直方向に可変制御するように切り替え可能とされている。
【０００８】
【作用】
本発明の構成によれば、映像信号検出手段で入力映像信号の所定領域での映像信号の検出を複数回所定時間をおいて実行することにより、誤動作することなく確実に最適の画面モードに選択できる。
【０００９】
【実施例】
以下、本発明を図示の一実施例に基づいて詳細に説明する。
図１は、本発明の一実施例に係るテレビジョン受像機の構成を示すブロック図である。なお、本実施例に係るテレビジョン受像機は、現行のテレビジョン標準方式（ＮＴＳＣ方式）でアスペクト比が１６：９の画面を備えている。
この図において、Ｕ／Ｖチューナー１，２はＵ／Ｖアンテナ４を介して入力される地上放送電波を選択し、ＣＳ／ＢＳチューナー３は衛星アンテナ５を介して入力されるＣＳ／ＢＳ衛星電波を選択する。
【００１０】
Ｕ／Ｖチューナー１は、入力されるＲＦ信号を取り込んで映像信号（Ｖ）とステレオ音声信号（Ｌ，Ｒ）に分離可能な主チューナーであり、Ｕ／Ｖチューナー２は、入力されるＲＦ信号を取り込んで映像信号（Ｖ）とモノラル音声信号（Ｓ）に分離可能な副チューナーである。また、ＣＳ／ＢＳチューナー３は、ＣＳ／ＢＳマイコン６の制御によって取り込まれたＣＳ／ＢＳの衛星信号を選択し、映像信号（Ｖ）とステレオ音声信号（Ｌ，Ｒ）に分離する。
Ｕ／Ｖチューナー１，２，ＣＳ／ＢＳチューナー３でそれぞれ分離された映像信号（Ｖ），音声信号（Ｌ，Ｒ），（Ｓ）は、オーディオ・ビデオ・スイッチ（ＡＶ−ＳＷ）７に入力される。また、ＶＴＲ等から外部ビデオ入力端子８を介して取り込まれる映像信号（Ｖ）とステレオ音声信号（Ｌ，Ｒ）も、オーディオ・ビデオ・スイッチ７に入力される。
【００１１】
Ｕ／Ｖチューナー１，２，ＣＳ／ＢＳチューナー３、及び外部ビデオ入力端子８からそれぞれオーディオ・ビデオ・スイッチ７に入力される映像信号（Ｖ）は、３次元コムフィルター９に取り込まれて輝度信号（Ｙ）、色信号（Ｃ）に分離された後、再びオーディオ・ビデオ・スイッチ７に入力される。３次元コムフィルター９によってクロス・カラーやドット妨害を低減できる。
オーディオ・ビデオ・スイッチ７は、Ｕ／Ｖチューナー１，２、ＣＳ／ＢＳチューナー３、又は外部ビデオ入力端子８からそれぞれ入力される映像信号のうちから任意の２つの映像信号（３次元コムフィルター９で分離された主映像として表示するための主Ｙ／Ｃ信号と、３次元コムフィルター９に取り込まれないＰｉｎＰやＰａｎｄ  Ｐモード時に副映像として表示するための映像信号（副Ｖ信号））を選択し、主Ｙ／Ｃ信号は、ビデオ・プロセッサー（Ｖ．Ｐ）１０およびＰｉｎＰ，Ｐａｎｄ  Ｐブロック１１に出力され、副Ｖ信号はＰｉｎＰ，Ｐａｎｄ  Ｐブロック１１に出力される。また、主Ｙ／Ｃ信号は、映像検出回路１２にも入力され、主Ｙ／Ｃ信号（映像信号）の検出を行う（詳細は後述する）。
【００１２】
ＰｉｎＰ、Ｐａｎｄ  Ｐブロック１１は、ＰｉｎＰ（親画面内に子画面を表示する機能）やＰａｎｄ  Ｐ（画面を２分割して２画面を表示する機能）モード時に、子画面や２画面等の複数の画面をアスペクト比が１６：９のＣＲＴ１の管面に表示するための合成、位置合わせ、及び静止画像モード時の静止画像の画像合成等の映像処理を行い、Ｙ／Ｃ信号をビデオ・プロセッサー１０に入力する。
ビデオ・プロセッサー１０は、ＣＲＴ１３に表示される画像の水平方向および／または垂直方向のサイズを変更制御し、図５（ａ），（ｂ），（ｃ）に示したように、ビスタサイズの映像信号の時は、「ズームモード」、シネスコサイズの映像信号の時は「ズームモード」、通常のアスペクト比が４：３の映像信号の時は「ワイドズーム」の各画面モードを選択し、オーディオ・ビデオ・スイッチ７を介して入力される主Ｙ／Ｃ信号からＣＲＴを駆動するためのＲ，Ｇ，Ｂ信号を生成する。
【００１３】
また、ビデオ・プロセッサー１０は、ＰｉｎＰやＰａｎｄ  Ｐモード時に、ＰｉｎＰ，Ｐａｎｄ  Ｐブロック１１から取り込まれるＰｉｎＰ，Ｐａｎｄ  Ｐモードで画面表示するためのＹ／Ｃ信号を取り込み、このＹ／Ｃ信号からＣＲＴ１３を駆動するためのＲ，Ｇ，Ｂ信号を生成する。
映像検出回路１２は、オーディオ・ビデオ・スイッチ７を介して入力される主Ｙ／Ｃ信号（映像信号）の各フィールドの先頭からの水平ライン数を計数し、その計数値に基づき、ＣＲＴ１３に表示される画面の上部、中央部、下部の、それぞれの入力映像信号の各フィールトに対して予め定めた所定数のラインの範囲の間で設定した検出領域での画像の有無を検出する。映像検出回路１２による映像信号の検出は、例えば、本願出願人による特願平６−２１４２０９号を用いることができる。
【００１４】
オーディオ・プロセッサ（Ａ・Ｐ）１４は、Ｕ／Ｖチューナー１，２、ＣＳ／ＢＳチューナー３、または外部ビデオ入力端子８からオーディオ・ビデオ・スイッチ７により選択される任意のオーディオ（音声）信号を取り込んで、音量、バランス、音質等を調整し、アンプ（ＡＭＰ）１５で増幅してスピーカー１６ａ，１６ｂから音声出力する。
メインマイコン１７は、ユーザによって決定される入力ソースの選局や映像、音量等の各種設定情報を、本体キー１８やリモコン本体（図示省略）によって情報入力されるリモコン信号受光部１９を介して取り込み、メモリ２０に格納されているプログラムなどの必要な情報に基づき、ＩＩＣ（Ｉ２  Ｃ）バス等のコントロール・バスを介してＵ／Ｖチューナー１，２、ＣＳ／ＢＳチューナー３、ＣＳ／ＢＳマイコン６、オーディオ・ビデオ・スイッチ７、ビデオ・プロセッサ１０、ＰｉｎＰ，Ｐａｎｄ  Ｐブロック１１、映像検出回路１２、オーディオ・プロセッサ１４等に制御信号を送り、所定の動作を実行させる。メイン・マイコン１７は、メモリ２０に格納されている情報に基づいて各種の制御を行う。
また、メインマイコン１７は、映像検出回路１２から入力される映像検出結果に基づいて画面モード（ズームモード、字幕入モード、ワイドモード）の判定を行う（詳細は後述する）。
【００１５】
また、メインマイコン１７は、ＣＲＴ１３に表示される映像、音量等の各種設定情報を表示マイコン２１に送り、表示マイコン２１は、メインマイコン１７から入力された各種設定情報を画面表示ＩＣ用に整形して画面表示ＩＣ２２に出力する。画面表示ＩＣ２２は、入力される情報に基づいてＣＲＴ１３を駆動するための画面表示用Ｒ，Ｇ，Ｂ信号を、ビデオ・プロセッサ１０に出力する。
【００１６】
次に、本発明に係るテレビジョン受像機の動作を図２に示すフローチャートを参照して説明する。
ユーザが本体キー１８やリモコン本体（図示省略）を操作することにより、Ｕ／Ｖチューナー１，２、ＣＳ／ＢＳチューナー３または外部ビデオ入力端子８から選択された映像信号（主Ｙ／Ｃ信号））が、オーディオ・ビデオ・スイッチ７、ビデオ・プロセッサ１０を介してＣＲＴ１３の画面に表示されている時（この時の画面モードは、例えば通常のアスペクト比が４：３の映像信号をワイドズームで表示している場合とする。）、映像検出回路１２にもこの時の映像信号（主Ｙ／Ｃ信号）が入力されている。
この時、図３に示すように、メインマイコン１７から映像検出回路１２に、トリガパルスが所定の周期で出力（本実施例では０．１秒間）されている（ステップＳ１）。そして、所定時間（本実施例では１．５秒間）経過後、映像検出回路１２からメインマイコン１７に、映像検出情報が出力され、メインマイコン１７内のメモリの「ＮＥＷ」の領域にこの映像検出情報を取り込む（ステップＳ２，Ｓ３）。
【００１７】
映像検出回路１２による映像信号の検出（画像モードの検出）は、前記したように、入力される映像信号（主Ｙ／Ｃ信号）の各フィールドの先頭からの水平ライン数を計数し、その計数値に基づき、ＣＲＴ１３に表示される画面の上部、中央部、下部の、それぞれの入力映像信号の各フィールドに対して予め定めた所定数のラインの範囲の間で設定した検出領域での画像の有無を判別することによって行われる。尚、この映像信号の検出（画像モードの検出）方法の詳細は、本願出願人による特願平６−２１４２０９号に記載されている。
そして、メインマイコン１７は、映像検出回路１２から入力される映像検出情報に基づいて「ＮＥＷ」とＣＲＴ１３に表示されている今の画面モード（以下、「ＣＵＲＲＥＮＴ」という）とを比較し、両者が同じ場合には入力映像信号に変化がないと判断し、表示されている今の画面モードを保持する。（ステップＳ４）。
また、ステップＳ４で、「ＮＥＷ」と「ＣＵＲＲＥＮＴ」が異なっていると判定した場合には、「ＮＥＷ」と、メインマイコン１７内のメモリに格納した一時的な映像検出結果のバッファ（以下、ＴＭＰという）とを比較し、両者が異なっていたら「ＴＭＰ」に「ＮＥＷ」を代入し、映像信号の検出回数（以下、「ＣＯＵＮＴＥＲ」という）に“Ｏ”を代入して、ステップＳ１に戻る。
【００１８】
尚、メインマイコン１７から映像検出回路１２にトリガパルスを出力して所定時間後（本実施例では１．５秒間）に映像検出結果をメインマイコン１７に取り込む最初の時は、ステップＳ３からステップＳ６を通ってテップＳ１に戻る動作が実行される。
そして、メインマイコン１７は、ステップＳ５で「ＴＭＰ」と「ＮＥＷ」が等しいと判定すると、「ＣＯＵＮＴＥＲ」を“＋１”にして、本発明の特徴である前記した映像検出を所定の間隔（本実施例では１．５秒間）複数回（本実施例では４回）実行するように、「ＣＯＵＮＴＥＲ」が４になるまでステップＳ１，Ｓ２，Ｓ３，Ｓ４，Ｓ５，Ｓ７，Ｓ８を繰り返し、映像信号の連続検出を実行する（ステップＳ７，Ｓ８）。
【００１９】
ステップＳ８で４回連続して映像検出動作が実行されると、メインマイコン１７は、入力された映像信号が別の画像サイズの映像信号に確実に変化（例えば通常のアスペクト比が４：３の映像信号からビスタサイズの映像信号に変化）していると判定し、「ＣＵＲＲＥＮＴ」に「ＮＥＷ」を代入する（ステップＳ９）。この時、次の入力映像信号の画面モードの変化が検出されるように、「ＴＭＰ」は、「ＮＥＷ」および「ＣＵＲＲＥＮＴ」と異なるデータ（イリーガルな値）に設定しておく。
そして、メインマイコン１７は、ステップＳ９で判定された「ＣＵＲＲＥＮＴ」に従って画面モードを最適な画面モードに切り替えるように、ビデオプロセッサ１０に制御信号を出力し、画面モードが切り替えられた画面（例えば最初のワイドモードからズームモードに切り替えられた画面）がＣＲＴ１３に表示される。
【００２０】
このように本実施例では、約６秒（１回の判定に約１．５秒かかり４回実行する）かけて画面モードの判定を行うことにより、誤動作なく確実に最適な画面モードに切り替えることができる。
前記実施例では、メインマイコン１７から映像検出回路１２にトリガパルスを出してから検出信号を取り込むまでに１．５秒間の間隔を設けたが、これは、本実施例のように複数回（本実施例では４回）連続して映像検出情報を取り込む場合に、１回毎の画面モードの判定の後にある程度時間を設けていないと、複数回連続して画面モードを判定しても取り込んだその時の映像検出情報だけで判定を行うことになり、信頼性が低下するためである。
また、前記実施例では、４回連続して画面モードを判定する場合であったが、２，３回あるいは５回以上実行してもよい。
【００２１】
また、前記実施例では、複数回所定時間をおいて連続して画面モードの判定を実行する構成であったが、もっと短時間で画面モードを判定して最適な画面モードに切り替えを行うこともできる。
以下、この場合の画面モードの切り替え手順を図４に示すフローチャートを参照して説明する。
先ず、ユーザが、本体キー１８あるいはリモコン本体（図示省略）にある検出モードを切り替えるための「速攻ワイド」ボタンを押す操作を行うことにより、メインマイコン１７は、前記したオートワイドモードから速攻ワイドモードに切り替えを行い、前記同様、メインマイコン１７から映像検出回路１２にトリガパルスを出力する（ステップＳ２０，Ｓ２１）。
そして、所定時間（例えば１．５秒間）経過後、メインマイコン１７は、この時の映像検出情報を映像検出回路１２から入力し、メインマイコン１７内の「ＣＵＲＲＥＮＴ」領域に取り込む（ステップＳ２２，Ｓ２３）。そして、メインマイコン１７は、「ＣＵＲＲＥＮＴ」に取り込んだ今の映像検出情報に従って、画面モードが変わっていたら最適な画面モードの切り替えを実行する。
このように、この場合には、前記実施例では４回連続して画面モードの判定を行うのに対し、１回の判定で画面モードの判定を行う構成により、より短時間で画面モードの切り替えが実行される。
【００２２】
【発明の効果】
以上、実施例に基づいて具体的に説明したように本発明によれば、異なる画面モードの映像信号が入力された場合に、誤動作することなく確実に最適な画面モードの画面に切り替えることができる。
【図面の簡単な説明】
【図１】本発明の一実施例に係るテレビジョン受像機を示すブロック図である。
【図２】本実施例の画面モード切り替え手順を示すフローチャートである。
【図３】本実施例の映像検出情報の取り込みタイミングを示す図である。
【図４】本実施例の他の実施例に係る画面モード切り替え手順を示すフローチャートである。
【図５】画面モードの種類を示す説明図である。
【符号の説明】
７    オーディオ・ビデオ・スイッチ
１０    ビデオ・プロセッサ
１２  映像検出回路
１７    メイン・マイコン
１８  本体キー
【図１】
0003605862.tif 000002
【図２】
0003605862.tif 000003
【図３】
0003605862.tif 000004
【図４】
0003605862.tif 000005
【図５】
0003605862.tif 000006